(57)【要約】【課題】旧来の下駄に比べて、より健康に資する下駄を提供する。【解決手段】左右それぞれの足を載せる一対の台部１０と、台部それぞれにおいて前部に貫設された一つの前孔１１及び前孔より後方に貫設された二つの後ろ孔１２に取り付けられている鼻緒２０とを具備する下駄１の構成を、それぞれの台部が上面から上方に向かって突出している複数の突起部１５を有しており、その突起部の少なくとも一部が、永久磁石１６を備えている構成とする。【選択図】図１
0003210820.tif 000002
【実用新案登録請求の範囲】
【請求項１】
左右それぞれの足を載せる一対の台部の上面から上方に向かって複数の突起部が突出しており、
複数の前記突起部の少なくとも一部は、永久磁石を備えている
ことを特徴とする下駄。
【請求項２】
前記突起部の上端は略半球形状であり、前記永久磁石は前記突起部の外形から突出することなく前記突起部の上端に埋設されている
ことを特徴とする請求項１に記載の下駄。
【請求項３】
前記台部の上面において、載置される足の土踏まずに相当する部位に、前記突起部より大きな面積で上方に向かって突出しているアーチ部を備える
ことを特徴とする請求項１または請求項２に記載の下駄。
【請求項４】
前記アーチ部は、高さが漸次異なる複数の前記突起部の集合によって形成されている
ことを特徴とする請求項３に記載の下駄。
【考案の詳細な説明】
【技術分野】
【０００１】
本考案は、下駄に関するものである。
【背景技術】
【０００２】
下駄は、和装の際の履物としてだけではなく、普段用の履物として使用している人もいる。特に、素足で下駄を履くと足指が自由に動くため、自ずと足全体の機能を使って歩行することになり土踏まずが良好に形成される、靴とは異なり足指が圧迫されないため外反母趾にならない、歩行に伴い足裏が硬い木製の台に繰り返し触れることにより血行が促進される、外気に開放されているため湿気がこもることなく皮膚病にかかりにくい等、健康にも良いと言われている。
【０００３】
本出願人は既に、上述のように多くの利点を有すると言われている下駄を、更に健康に資するものとすることを目的として、足を載せる台部の上面から上方に向かって突出している複数の突起部を有している下駄を提案している（特許文献１参照）。本考案は、この下駄の改良にかかるものである。
【先行技術文献】
【特許文献】
【０００４】
【特許文献１】実用新案登録第３２０８７６５号公報
【考案の概要】
【考案が解決しようとする課題】
【０００５】
上記のように、本考案は、旧来の下駄に比べて、より健康に資する下駄の提供を課題とする。
【課題を解決するための手段】
【０００６】
上記課題を解決するため、本考案にかかる下駄は、
「左右それぞれの足を載せる一対の台部の上面から上方に向かって複数の突起部が突出しており、
複数の前記突起部の少なくとも一部は、永久磁石を備えている」ものである。
【０００７】
本考案の下駄は、左右それぞれの台部に、上方に向かって突出している複数の突起部を有しており、複数の突起部の少なくとも一部に永久磁石を備えている。そのため、下駄を履いた時に使用者の体重がかかることにより、突起部で足裏に物理的な刺激を与えて血行を促進することができると共に、磁気による血行の促進が期待できる。
【０００８】
永久磁石は、複数の突起部の全てが備えているものとすることも、一部の突起部のみが備えているものとすることもできる。また、永久磁石は、突起部に固着しても良いし、後述のように突起部に埋設しても良い。或いは、一つの突起部の全体が永久磁石によって形成されている構成とすることもできる。
【０００９】
本考案にかかる下駄は、上記構成に加え、
「前記突起部の上端は略半球形状であり、前記永久磁石は前記突起部の外形から突出することなく前記突起部の上端に埋設されている」ものとすることができる。
【００１０】
本構成では、永久磁石が突起部の上端に埋設されており、且つ、突起部の上端の略半球形状の外形から永久磁石が突出していないため、永久磁石が突起部から外れにくいと共に、永久磁石の存在によって足裏に痛みを感じさせない利点がある。
【００１１】
本考案にかかる下駄は、上記構成に加え、
「前記台部の上面において、載置される足の土踏まずに相当する部位に、前記突起部より大きな面積で上方に向かって突出しているアーチ部を備える」ものとすることができる。
【００１２】
本構成では、アーチ部で土踏まずを支え、土踏まずの形成を促すことができる。また、突起部より大きな面積で突出しているアーチ部で、足裏において大きな面積で窪んでいる土踏まずを、刺激することができる。なお、アーチ部が永久磁石を備えている構成とすることもできる。
【００１３】
本考案にかかる下駄は、上記構成において、
「前記アーチ部は、高さが漸次異なる複数の前記突起部の集合によって形成されている」ものとすることができる。
【００１４】
本構成では、少しずつ高さの変化する突起部の集合によってアーチ部が形成されるため、アーチ部の形状を土踏まずの窪みに沿う形状とし易い。
【考案の効果】
【００１５】
以上のように、本考案によれば、旧来の下駄に比べて、より健康に資する下駄を、提供することができる。
【図面の簡単な説明】
【００１６】
【図１】（ａ）本考案の第一実施形態である下駄の斜視図、（ｂ）永久磁石を備える突起部の断面図、及び（ｃ）他の態様で永久磁石を備える突起部の断面図である。
【図２】（ａ）第二実施形態の下駄についてアーチ部の配置を示す平面図、（ｂ）アーチ部の断面図、及び（ｃ）他の態様のアーチ部の側面図である。
【考案を実施するための形態】
【００１７】
以下、本考案の第一実施形態である下駄１について、図１を用いて説明する。一足の下駄１は、左足用下駄１Ｌと右足用下駄１Ｒとからなる。なお、本書面における左右、上下、前後は、それぞれ下駄１を履いた使用者にとっての左右、上下、前後である。
【００１８】
左足用下駄１Ｌ及び右足用下駄１Ｒはそれぞれ、足を載せる台部１０と、台部１０に貫設された一つの前孔１１及び二つの後ろ孔１２に取り付けられている鼻緒２０と、台部１０の裏面から突設された二つの歯部３０とを具備している。そして、それぞれの台部１０は、上面から上方に向かって突出している複数の突起部１５を有しており、複数の突起部１５の少なくとも一部は、永久磁石１６を備えている。
【００１９】
具体的に説明すると、台部１０は木製で、前後に長い長方形の角部を湾曲させた形状である。前孔１１は、台部１０の前部において左右方向における中心線より内側に設けられている。二つの後ろ孔１２は、台部１０の後部における左右両外側に、前記中心線に対して対称に設けられている。二つの歯部３０は、前孔１１と後ろ孔１２との間に一つが設けられていると共に、後ろ孔１２より後方に一つが設けられている。
【００２０】
突起部１５は、本実施形態では台部１０と同様に木製である。それぞれの突起部１５は、台部１０の上面から上方に突出した短い円柱状で、直径は７ｍｍ〜１５ｍｍであり、上端は略半球形状で丸みを帯びている。突起部１５は台部１０の上面に均一に分散させてあるのではなく、局部的に配置されている。これは、台部１０における突起部１５の配置を、足裏における経穴（ツボ）や反射区の位置に対応させているためである。経穴や反射区は、そこを刺激することで内臓に働きかけることができると言われており、鍼灸治療や手揉み治療によって健康管理や健康増進が図られている部位である。
【００２１】
足裏における反射区の位置は、左右の足で対称ではない。例えば、心臓の反射区は左足にしかなく、肝臓の反射区は右足にしかないと言われている。また、両方の足裏に存在する器官の反射区であっても、右足と右足とでは位置や広さが異なっているとされている。そこで、左足用下駄１Ｌの台部１０における突起部１５の配置と、右足用下駄１Ｒの台部１０における突起部１５の配置は、左右非対称としている。
【００２２】
複数の突起部１５の一部は、その上端に永久磁石１６を備えている。永久磁石１６は、図１（ａ），（ｂ）に示すように突起部１５の上端に固着しても良いし、図１（ｃ）に示すように突起部１５の上端に埋設しても良い。突起部１５に埋設することにより、永久磁石１６が突起部１５から外れにくい。また、図１（ｃ）の例では、永久磁石１６は突起部１５の上端の略半球形状の外形から突出しないように埋設されているため、突起部１５より小さい永久磁石１６の存在によって、足裏に痛みを感じさせることがない。
【００２３】
鼻緒２０は、布製の帯体であり、両端部それぞれが後ろ孔１２に挿通された上で、台部１０の裏側で留め付けられている。鼻緒２０は、長さ方向のほぼ中央で掛け回された前緒２１を介して、前孔１１に取り付けられていることにより逆Ｖ字形を呈している。
【００２４】
上記構成により、本実施形態の下駄１によれば、台部１０の上面から上方に向かって突出している複数の突起部１５を有しており、突起部１５の一部が永久磁石１６を備えているため、履くだけで突起部１５によって足裏に物理的な刺激を与えて血行を促進することができると共に、永久磁石１６の磁気による血行の促進が期待できる。
【００２５】
そして、突起部１５、及び永久磁石１６を備える突起部１５は、足裏における経穴（ツボ）や反射区に対応する位置に設けられているため、意識して足裏を押圧したり鍼灸治療や手揉み療治を受けたりしなくても、下駄１を履いているだけで、経穴や反射区を刺激して健康管理や健康増進を図ることができる。
【００２６】
ここで、複数の突起部１５に対する永久磁石１６の配置は、左右の足で異なる反射区の位置に対応させて、左右非対称とすることができる。或いは、重点的に刺激したい反射区や経穴に応じて、永久磁石１６を備える突起部１５の配置を異ならせた複数種類の下駄１、例えば、胃腸の弱い人用の下駄や、冷え性の人用の下駄を、製造することができる。また或いは、永久磁石１６を備える突起部１５を、使用者の要請に応じて配置することにより、オーダーメイドの下駄１とすることができる。
【００２７】
次に、第二実施形態の下駄２について、図２を用いて説明する。下駄２が、第一実施形態の下駄１と相違する点は、台部１０の上面において、載置される足の土踏まずに相当する部位ＡＦに、突起部１５より大きな面積で上方に向かって突出しているアーチ部１８を備えている点である。アーチ部１８で土踏まずを支え、土踏まずの形成を促すことができると共に、アーチ部１８で土踏まずを刺激することができる。
【００２８】
アーチ部１８は、図２（ｂ）に示すように、土踏まずに相当する部位ＡＦを一つでカバーできる大きさの扁平な突起で形成することができる。このようなアーチ部１８の上端にも、永久磁石１６を埋設等により取り付けることができる。
【００２９】
或いは、図２（ｃ）に示すように、高さが漸次異なる複数の突起部１５の集合によって、アーチ部１８を形成することができる。複数の突起部１５を少しずつ高さを異ならせて並べることにより、アーチ部１８の形状を土踏まずの窪みに沿う形状とし易い。このようなアーチ部１８を構成する突起部１５の一部または全部に、図１（ｂ）または図１（ｃ）に示すように永久磁石１６を備えさせることができる。
【００３０】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００３１】
例えば、永久磁石１６は、その配置によって、磁束密度の異なるものを使用することができる。例えば、血行の促進がより期待される反射区や経穴に対応した位置の突起部１５に、磁束密度の高い永久磁石１６を備えさせることができる。
【００３２】
また、足のサイズが異なると、足裏における経穴間の距離や反射区の広さが相違するため、足のサイズに台部１０のサイズを対応させた上で、台部１０における突起部１５の配置ひいては永久磁石１６の配置を、サイズの異なる足における経穴間の距離や反射区の広さに対応させた複数種類の下駄を製造することができる。
【符号の説明】
【００３３】
１，２  下駄
１Ｌ，２Ｌ  左足用下駄
１Ｒ，２Ｒ  右足用下駄
１０  台部
１１  前孔
１２  後ろ孔
１５  突起部
１６  永久磁石
１８  アーチ部
２０  鼻緒
２１  前緒
３０  歯部
ＡＦ  土踏まずに相当する部位
【図１】
0003210820.tif 000003
【図２】
0003210820.tif 000004